(57)【要約】【課題】シリアルデータが重畳された映像信号の振幅が小さくなった場合にもシリアルデータを正しく抜き取ることができるデータスライス回路を提供する。【解決手段】本発明におけるデータスライス回路は、映像信号に含まれる第一の信号と閾値との大小を比較することにより、前記第一の信号を２値化する２値化回路１１と、前記第一の信号の信号レベルの最大値および最小値を検出する信号レベル検出部と、前記最大値および最小値の時間に対する増加または減少を検出する変化検出部と、前記最大値または最小値が増加している場合に、前記第一の信号の信号レベルを減少または前記閾値を増加させ、前記最大値または最小値が減少している場合に、前記第一の信号の信号レベルを増加または前記閾値を減少させる制御を行う制御部１４１とを備える。【選択図】図１
2007134912.tif 000002
【特許請求の範囲】
【請求項１】
映像信号に含まれる第一の信号と閾値との大小を比較することにより、前記第一の信号を２値化する２値化手段と、
前記第一の信号の信号レベルの最大値および最小値を検出する信号レベル検出手段と、
前記最大値および最小値の時間に対する増加または減少を検出する変化検出手段と、
前記最大値または最小値が増加している場合に、前記第一の信号の信号レベルを減少または前記閾値を増加させ、前記最大値または最小値が減少している場合に、前記第一の信号の信号レベルを増加または前記閾値を減少させる制御を行う制御手段とを備える
ことを特徴とするデータスライス回路。
【請求項２】
前記２値化手段は、
前記映像信号に基準ＤＣレベルを与えるクランプ手段を備え、
前記クランプ手段は、前記制御手段による制御により、前記最大値または最小値が増加している場合に、前記基準ＤＣレベルを減少させることにより、前記第一の信号の信号レベルを減少させ、前記最大値または最小値が減少している場合に、前記基準ＤＣレベルを増加させることにより、前記第一の信号の信号レベルを増加させる
ことを特徴とする請求項１記載のデータスライス回路。
【請求項３】
前記２値化手段は、さらに、
前記クランプ手段により基準ＤＣレベルを与えられた映像信号をディジタル信号に変換するＡ／Ｄ変換手段を備え、
前記信号レベル検出手段は、前記ディジタル信号に変換された第一の信号の信号レベルの最大値および最小値を検出する
ことを特徴とする請求項２記載のデータスライス回路。
【請求項４】
前記２値化手段は、
前記映像信号と複数の参照電圧との大小を比較することにより、前記映像信号をディジタル信号に変換するＡ／Ｄ変換手段を備え、
前記Ａ／Ｄ変換手段は、前記制御手段による制御により、前記最大値または最小値が増加している場合に、前記複数の参照電圧を増加させることにより、前記第一の信号の信号レベルを減少させ、前記最大値または最小値が減少している場合に、前記複数の参照電圧を減少させることにより、前記第一の信号の信号レベルを増加させる
ことを特徴とする請求項１記載のデータスライス回路。
【請求項５】
前記２値化手段は、さらに、
前記映像信号に基準ＤＣレベルを与えるクランプ手段を備え、
前記Ａ／Ｄ変換手段は、前記クランプ手段により基準ＤＣレベルを与えられた映像信号をディジタル信号に変換し、
前記信号レベル検出手段は、前記ディジタル信号に変換された第一の信号の信号レベルの最大値および最小値を検出する
ことを特徴とする請求項４記載のデータスライス回路。
【請求項６】
前記２値化手段は、さらに、
前記映像信号に含まれる基準信号の振幅より、前記閾値を算出する閾値算出手段を備え、
前記２値化手段は、前記算出された閾値と前記ディジタル信号に変換された第一の信号との大小を比較することにより、第一の信号を２値化する
ことを特徴とする請求項３または５記載のデータスライス回路。
【請求項７】
前記２値化手段は、
複数の閾値を出力する閾値出力手段と、
前記複数の閾値より、前記２値化手段が用いる閾値を選択する閾値選択手段とを備え、
前記閾値選択手段は、前記制御手段による制御により、前記最大値または最小値が増加している場合に、前記複数の閾値のうち、前記２値化手段が用いていた第一の閾値よりも大きな値をもつ第二の閾値を選択することで、前記２値化手段が用いる閾値を増加させ、前記最大値または最小値が減少している場合に、前記２値化手段が用いていた第一の閾値よりも小さな値をもつ第三の閾値を選択することで、前記２値化手段が用いる閾値を減少させる
ことを特徴とする請求項１記載のデータスライス回路。
【請求項８】
前記２値化手段は、
前記映像信号をディジタル信号に変換するＡ／Ｄ変換手段を備え、
前記閾値出力手段は、前記映像信号に含まれる基準信号の振幅より、前記複数の閾値を算出し、
前記２値化手段は、前記ディジタル信号に変換された第一の信号と前記閾値選択手段により選択された閾値との大小を比較することにより、第一の信号を２値化する
ことを特徴とする請求項７記載のデータスライス回路。
【請求項９】
前記２値化手段は、さらに、
前記映像信号に基準ＤＣレベルを与えるクランプ手段を備え、
前記Ａ／Ｄ変換手段は、前記クランプ手段により基準ＤＣレベルを与えられた映像信号をディジタル信号に変換し、
前記信号レベル検出手段は、前記ディジタル信号に変換された第一の信号の信号レベルの最大値および最小値を検出する
ことを特徴とする請求項８記載のデータスライス回路。
【請求項１０】
前記２値化手段は、前記制御手段による制御により、前記最大値または最小値が増加している場合に、前記閾値を増加させ、前記最大値または最小値が減少している場合に、前記閾値を減少させる
ことを特徴とする請求項１記載のデータスライス回路。
【請求項１１】
前記２値化手段は、さらに、
前記映像信号に基準ＤＣレベルを与えるクランプ手段を備え、
前記２値化手段は、前記クランプ手段により基準ＤＣレベルを与えられた第一の信号と前記閾値との大小を比較することにより、前記第一の信号を２値化し、
前記信号レベル検出手段は、前記クランプ手段により基準ＤＣレベルを与えられた第一の信号の信号レベルの最大値および最小値を検出する
ことを特徴とする請求項１０記載のデータスライス回路。
【請求項１２】
前記データスライス回路は、さらに、
前記変化検出手段の検出結果を記憶する状態記憶手段を備え、
前記制御手段は、前記状態記憶手段が記憶している検出結果において前記最大値または最小値が増加している場合に、前記第一の信号の信号レベルを減少または前記閾値を増加させ、前記状態記憶手段が記憶している検出結果において前記最大値または最小値が減少している場合に、前記第一の信号の信号レベルを増加または前記閾値を減少させる制御を行う
ことを特徴とする請求項１〜１１記載のうちいずれか一つのデータスライス回路。
【請求項１３】
前記データスライス回路は、さらに、
前記映像信号が含む基準信号の周期と同周期のタイミングの抜き取りパルスを生成する抜き取りパルス生成手段と、
前記２値化手段により２値化された第一の信号から前記抜き取りパルスのタイミングでデータを抜き取る抜き取り手段とを備える
ことを特徴とする請求項１〜１２記載のうちいずれか一つのデータスライス回路。
【請求項１４】
前記第一の信号は、シリアルデータが重畳された文字放送またはデータ放送に使用される映像信号におけるシリアルデータの情報を含む信号である
ことを特徴とする請求項１〜１３記載のデータスライス回路。
【発明の詳細な説明】
【技術分野】
【０００１】
本発明は、映像信号に重畳されたシリアルデータを２値化して抜き取るデータスライス回路に関する。
【背景技術】
【０００２】
テレビ受像機または録画装置などの利便性を向上させるために、映像信号の垂直帰線消去期間にシリアルデータを重畳して放送することが行われている。近年では、電子番組表のデータを映像信号に重畳して放送することにより、録画装置が電子番組表をテレビ受像機の画面に表示し、ユーザが所望の番組を選択することによって録画予約を行うことができる。
【０００３】
図１５は、垂直帰線消去期間における映像信号の構成を示す図である。国内の放送方式について、図１５を用いて説明する。国内で採用されているＮＴＳＣ方式では、偶数フィールドおよび奇数フィールドをおのおの２６２．５本の水平走査線を用いて描画する。１フレームは、５２５本の水平走査線によって構成される。
【０００４】
水平走査線のうち、水平走査線番号の第２２番から第２６２番には、映像信号が重畳される。図１５に示すように、水平走査線番号が第１番から第２１番の期間Ｔ１における水平走査線が垂直帰線消去期間に該当する。そのうち第1番から第９番の期間Ｔ２の水平走査線は垂直同期信号に使用される。残りの第１０番から第２１番の水平走査線がシリアルデータの送信に使用可能であるが、実際には第１０番から第１３番まで期間Ｔ３の水平走査線がデータ放送サービスに使用される。また、第１４番から第１６番までと第２１番との期間Ｔ４の水平走査線が文字放送サービスに使用される。
【０００５】
国内の放送方式は前述の通りであるが、同様のサービスは世界各地で行われており、シリアルデータが重畳される水平走査線の番号と伝送クロックの周波数および伝送データのビット数が異なる複数の方式が存在する。例えば、ＰＡＬ／ＳＥＣＡＭ方式を採用する欧州などの地域では、ＴＥＬＥＴＥＸＴ、ＶＰＳ、ＰＤＣ、ＷＳＳなどのサービスが行われており、代表的な伝送クロックの周波数は６．９７Ｍｂｐｓである。また、日本と同じＮＴＳＣ方式を採用する米国では、ＣＣ／ＸＤＳと呼ばれるサービスが行われており、代表的な伝送クロックの周波数は１．００Ｍｂｐｓである。なお、米国と同じＮＴＳＣ方式を採用する日本では、電子番組表サービスが周波数５．７３Ｍｂｐｓの伝送クロックを用いて行われている。
【０００６】
次に、シリアルデータが重畳された水平走査線における映像信号の構成について、図１６を用いて説明する。前述のように世界的には複数の方式が存在するが、基本的な構成は同じと考えてよい。図１６は、図１５に示す期間Ｔ３またはＴ４の水平走査線における映像信号の構成を示す図である。
【０００７】
シリアルデータが重畳された水平走査線における映像信号は、水平帰線期間を示す水平同期信号２０１と、色再生のためのカラーバースト信号２０２と、クロックランイン信号２０３と、フレーミングコード信号２０４と、データ信号２０５とを含む。
【０００８】
クロックランイン信号２０３は、後続のフレーミングコード信号２０４とデータ信号２０５を２値化して抜き取るためのタイミング情報を含む基準信号である。フレーミングコード信号２０４は、後続のデータ信号２０５が保持している情報の属性情報を含む。データ信号２０５は、シリアルデータの実体データの情報を含む。
【０００９】
このように構成された映像信号において、フレーミングコード信号２０４とデータ信号２０５とを抜き取るために、クロックランイン信号２０３の振幅と周期を利用することが一般に行われている。
【００１０】
図１７は、従来のデータスライス回路の構成を示すブロック図である。図１７に示すように、従来のデータスライス回路は、２値化回路１０と、抜き取りパルス生成部１３０と、シリアルデータ抜き取り部１３１とを備える。
【００１１】
２値化回路１０は、シリアルデータが重畳された映像信号Ｓ１００とスライスレベルとの大小を比較することにより、映像信号Ｓ１００を２値化する。２値化回路１０は、クランプ部１００と、Ａ／Ｄ変換部１１０と、スライスレベル算出部１２０と、２値化部１２１とを備える。
【００１２】
クランプ部１００は、シリアルデータが重畳された映像信号Ｓ１００に基準ＤＣレベルを与え、信号Ｓ１０１として出力する。
【００１３】
Ａ／Ｄ変換部１１０は、信号Ｓ１０１をディジタル信号に変換し、信号Ｓ１１０として出力する。
【００１４】
スライスレベル算出部１２０は、信号Ｓ１１０に基づいて、信号Ｓ１１０を２値化するためのスライスレベルを算出し、スライスレベルＳ１２０を出力する。
【００１５】
２値化部１２１は、信号Ｓ１１０とスライスレベルＳ１２０との大小を比較することにより、２値化し、信号Ｓ１２１として出力する。
【００１６】
抜き取りパルス生成部１３０は、シリアルデータを抜き取るための抜き取りパルスＳ１３０を生成する。
【００１７】
シリアルデータ抜き取り部１３１は、信号Ｓ１２１から抜き取りパルスＳ１３０のタイミングでシリアルデータを抜き取り、信号Ｓ１３１として出力する。
【００１８】
図１８は、従来のフレーミングコード信号２０４およびデータ信号２０５の抜き取り方法を示す図である。
【００１９】
図１８に示すように、スライスレベル算出部１２０は、クロックランイン信号２０３の振幅の最大値と最小値の差の１／２をスライスレベルＳ１２０とする。スライスレベルＳ１２０は、クロックランイン信号２０３の振幅の最大値と最小値の差の１／２とする他に、クロックランイン信号２０３の振幅の平均値とするなどの複数の方法がある。なお、実線のスライスレベルＳ１２０はクロックランイン信号２０３の振幅に基づいて求めたスライスレベルＳ１２０であり、破線のスライスレベルは前記スライスレベルＳ１２０と同じレベルであるが、フレーミングコード信号２０４およびデータ信号２０５においてもクロックランイン信号２０３と同等の振幅が継続することを仮定しているという意味において破線としている。
【００２０】
抜き取りパルス発生部１３０は、信号Ｓ１１０のクロックランイン信号２０３の周期Ｔ５を測定する。抜き取りパルス発生部１３０は、信号Ｓ１１０のクロックランイン信号２０３の周期Ｔ５と同周期の抜き取りパルスＳ１３０を生成する。なお、図１８において、実線の矢印で示される周期はクロックランイン信号２０３の周期である。また、破線の矢印で示される周期は、クロックランイン信号２０３の周期Ｔ５と同じ周期であるが、フレーミングコード信号２０４およびデータ信号２０５においてもクロックランイン信号２０３と同等の周期が継続することを仮定しているという意味において破線としている。
【００２１】
２値化部１２１は、算出したスライスレベルＳ１２０を閾値とし、信号Ｓ１１０を２値化する。例えば、信号Ｓ１１０のフレーミングコード信号２０４またはデータ信号２０５がスライスレベルＳ１２０よりも大きい場合をデータ‘１’とし、小さい場合をデータ‘０’として２値化を行う。
【００２２】
シリアルデータ抜き取り部１３１は、抜き取りパルスＳ１３０のタイミングで、２値化された信号Ｓ１２１のデータを抜き取る。例えば、図１８では、２値化され、抜き取られたフレーミングコード９０１は‘１１０’、データ９０２は‘１０１１００１１０１１１０１０’である。
【００２３】
以上の動作により、シリアルデータが重畳された映像信号Ｓ１００に対し２値化および抜き取りが行われ、信号Ｓ１３１として出力される。
【００２４】
しかしながら、上述した方法では、弱電界時またはゴースト信号が重畳された劣悪な受信環境において、シリアルデータの情報を含む信号であるフレーミングコード信号２０４とデータ信号２０５を正しく抜き取ることが困難になるという問題がある。テレビ受像機あるいは録画装置などが設置される場所の受信環境は千差万別であるが、少なくとも映像が認識できる程度の受信状態であればデータスライス回路も正常にフレーミングコード信号２０４とデータ信号２０５を抜き取ることができるだけの性能が求められる。
【００２５】
上記問題に対し、従来のデータスライス回路では、上述した方法で求めたスライスレベルＳ１２０に対して上側と下側にオフセットを設けた２つの新たなスライスレベルを定義し、合計３つのスライスレベルによって抜き取ったデータのうち、エラーが含まれないデータを抜き取ることができたスライスレベルを選択する方法が提案されている（特許文献１参照。）。
【００２６】
図１９は、特許文献１記載の複数のスライスレベルを用いた従来のフレーミングコード信号２０４およびデータ信号２０５の抜き取り方法を示す図である。
【００２７】
図１９に示すように、特許文献１記載のデータスライス回路は、クロックランイン信号２０３の振幅から求めたスライスレベルＳ１２０を基準スライスレベルとし、基準スライスレベルに対して、上側オフセットを設けた上側スライスレベル１９０１と、下側オフセットを設けた下側スライスレベル１９０２とを用いる。特許文献１記載のデータスライス回路は、３つのスライスレベルＳ１２０、１９０１および１９０２に対し、データの抜き取りを行い、各スライスレベルで抜き取ったデータに対しエラー判定をすることで、正しい抜き取りデータを選択する。図１９において、フレーミングコード信号２０４およびデータ信号２０５の理想波形を破線で示し、フレーミングコード信号２０４およびデータ信号２０５が暫減した暫減波形を実線で示す。
【００２８】
図１９に示す、信号波形１９０３であれば、基準スライスレベルＳ１２０、上側スライスレベル１９０１および下側スライスレベル１９０２の３つのスライスレベルの全てでデータを正しく抜き取ることができる。また、信号波形１９０４であれば、下側スライスレベル１９０２を選択することでデータを正しく抜き取ることができる。
【特許文献１】特開２００４−４０３５０号公報（第４４頁、第五図）
【発明の開示】
【発明が解決しようとする課題】
【００２９】
しかしながら、特許文献１記載のデータスライス回路は、信号波形１９０５のように下側スライスレベル１９０２より小さいレベルに暫減したデータを正しく抜き取ることはできない。
【００３０】
すなわち、特許文献１記載のデータスライス回路は、シリアルデータが重畳された水平走査線における映像信号の振幅が大きく暫減する場合に、フレーミングコード信号２０４とデータ信号２０５とを正しく抜き取ることができないという問題がある。
【００３１】
上記問題を鑑み、本発明は、シリアルデータが重畳された映像信号の振幅が小さくなった場合にもシリアルデータを正しく抜き取ることができるデータスライス回路を提供することを目的とする。
【課題を解決するための手段】
【００３２】
上記目的を達成するために、本発明に係るデータスライス回路は、映像信号に含まれる第一の信号と閾値との大小を比較することにより、前記第一の信号を２値化する２値化手段と、前記第一の信号の信号レベルの最大値および最小値を検出する信号レベル検出手段と、前記最大値および最小値の時間に対する増加または減少を検出する変化検出手段と、前記最大値または最小値が増加している場合に、前記第一の信号の信号レベルを減少または前記閾値を増加させ、前記最大値または最小値が減少している場合に、前記第一の信号の信号レベルを増加または前記閾値を減少させる制御を行う制御手段とを備える。
【００３３】
これにより、本発明におけるデータスライス回路は、映像信号に含まれる第一の信号の最大値または最小値が増加した場合に、第一の信号の振幅に対し、相対的に閾値を増加させる。また、映像信号に含まれる第一の信号の信号レベルの最大値または最小値が減少した場合に、第一の信号の振幅に対し、相対的に閾値を減少させる。すなわち、制御手段は、第一の信号の最大値または最小値の変動にともない、閾値が、第一の信号の振幅の中点に近づくように制御する。これにより、本発明におけるデータスライス回路は、第一の信号の振幅が小さくなった場合にも第一の信号を正しく抜き取ることができる。
【００３４】
また、前記２値化手段は、前記映像信号に基準ＤＣレベルを与えるクランプ手段を備え、前記クランプ手段は、前記制御手段による制御により、前記最大値または最小値が増加している場合に、前記基準ＤＣレベルを減少させることにより、前記第一の信号の信号レベルを減少させ、前記最大値または最小値が減少している場合に、前記基準ＤＣレベルを増加させることにより、前記第一の信号の信号レベルを増加させてもよい。
【００３５】
これにより、本発明におけるデータスライス回路は、第一の信号の最大値および最小値の変化にともない、クランプ手段が第一の信号に与える基準ＤＣレベルを変更する。よって、２値化手段が２値化に用いる第一の信号は、入力された第一の信号の最大値および最小値が減少した場合には、増加し、入力された第一の信号の最大値および最小値が増加した場合には、減少する。これにより、本発明におけるデータスライス回路は、第一の信号の振幅が小さくなった場合にもシリアルデータを正しく抜き取ることができる。
【００３６】
また、前記２値化手段は、さらに、前記クランプ手段により基準ＤＣレベルを与えられた映像信号をディジタル信号に変換するＡ／Ｄ変換手段を備え、前記信号レベル検出手段は、前記ディジタル信号に変換された第一の信号の信号レベルの最大値および最小値を検出してもよい。
【００３７】
これにより、本発明におけるデータスライス回路は、ディジタル信号の最大値および最小値を検出する。よって、容易に安定的に第一の信号の最大値および最小値の検出を行うことができる。
【００３８】
また、前記２値化手段は、前記映像信号と複数の参照電圧との大小を比較することにより、前記映像信号をディジタル信号に変換するＡ／Ｄ変換手段を備え、前記Ａ／Ｄ変換手段は、前記制御手段による制御により、前記最大値または最小値が増加している場合に、前記複数の参照電圧を増加させることにより、前記第一の信号の信号レベルを減少させ、前記最大値または最小値が減少している場合に、前記複数の参照電圧を減少させることにより、前記第一の信号の信号レベルを増加させてもよい。
【００３９】
これにより、本発明のおけるデータスライス回路は、第一の信号の最大値および最小値の変化にともない、Ａ／Ｄ変換に用いる参照電圧を変更する。よって、２値化手段が２値化に用いる第一の信号は、入力された第一の信号の最大値および最小値が減少した場合には、増加し、入力された第一の信号の最大値および最小値が増加した場合には、減少する。これにより、本発明におけるデータスライス回路は、第一の信号の振幅が小さくなった場合にも第一の信号を正しく抜き取ることができる。
【００４０】
また、前記２値化手段は、さらに、前記映像信号に基準ＤＣレベルを与えるクランプ手段を備え、前記Ａ／Ｄ変換手段は、前記クランプ手段により基準ＤＣレベルを与えられた映像信号をディジタル信号に変換し、前記信号レベル検出手段は、前記ディジタル信号に変換された第一の信号の信号レベルの最大値および最小値を検出してもよい。
【００４１】
これにより、本発明におけるデータスライス回路は、ディジタル信号の最大値および最小値を検出する。よって、容易に安定的に第一の信号の最大値および最小値の検出を行うことができる。
【００４２】
また、前記２値化手段は、さらに、前記映像信号に含まれる基準信号の振幅より、前記閾値を算出する閾値算出手段を備え、前記２値化手段は、前記算出された閾値と前記ディジタル信号に変換された第一の信号との大小を比較することにより、第一の信号を２値化してもよい。
【００４３】
これにより、本発明におけるデータスライス回路は、ディジタル信号である第一の信号と閾値との大小を比較することにより、第一の信号の２値化を行う。よって、容易に安定的に２値化を行うことができる。
【００４４】
また、前記２値化手段は、複数の閾値を出力する閾値出力手段と、前記複数の閾値より、前記２値化手段が用いる閾値を選択する閾値選択手段とを備え、前記閾値選択手段は、前記制御手段による制御により、前記最大値または最小値が増加している場合に、前記複数の閾値のうち、前記２値化手段が用いていた第一の閾値よりも大きな値をもつ第二の閾値を選択することで、前記２値化手段が用いる閾値を増加させ、前記最大値または最小値が減少している場合に、前記２値化手段が用いていた第一の閾値よりも小さな値をもつ第三の閾値を選択することで、前記２値化手段が用いる閾値を減少させてもよい。
【００４５】
これにより、本発明におけるデータスライス回路は、第一の信号の最大値および最小値の変化にともない、２値化に用いる閾値を変更する。第一の信号の最大値および最小値が増加した場合には、２値化に用いられる閾値の値は増加する。第一の信号の最大値および最小値が減少した場合には、２値化に用いられる閾値の値は減少する。これにより、本発明におけるデータスライス回路は、第一の信号の振幅が小さくなった場合にも第一の信号を正しく抜き取ることができる。
【００４６】
また、前記２値化手段は、前記映像信号をディジタル信号に変換するＡ／Ｄ変換手段を備え、前記閾値出力手段は、前記映像信号に含まれる基準信号の振幅より、前記複数の閾値を算出し、前記２値化手段は、前記ディジタル信号に変換された第一の信号と前記閾値選択手段により選択された閾値との大小を比較することにより、第一の信号を２値化してもよい。
【００４７】
これにより、本発明におけるデータスライス回路は、ディジタル信号である第一の信号と閾値との大小を比較することにより、第一の信号の２値化を行う。よって、容易に安定的に２値化を行うことができる。
【００４８】
また、前記２値化手段は、さらに、前記映像信号に基準ＤＣレベルを与えるクランプ手段を備え、前記Ａ／Ｄ変換手段は、前記クランプ手段により基準ＤＣレベルを与えられた映像信号をディジタル信号に変換し、前記信号レベル検出手段は、前記ディジタル信号に変換された第一の信号の信号レベルの最大値および最小値を検出してもよい。
【００４９】
これにより、本発明におけるデータスライス回路は、ディジタル信号の最大値および最小値を検出する。よって、容易に安定的に第一の信号の最大値および最小値の検出を行うことができる。
【００５０】
また、前記２値化手段は、前記制御手段による制御により、前記最大値または最小値が増加している場合に、前記閾値を増加させ、前記最大値または最小値が減少している場合に、前記閾値を減少させてもよい。
【００５１】
これにより、本発明におけるデータスライス回路は、第一の信号の最大値および最小値の変化にともない、２値化に用いる閾値を変更する。第一の信号の最大値および最小値が増加した場合には、２値化に用いられる閾値の値は増加する。第一の信号の最大値および最小値が減少した場合には、２値化に用いられる閾値の値は減少する。これにより、本発明におけるデータスライス回路は、第一の信号の振幅が小さくなった場合にも第一の信号を正しく抜き取ることができる。
【００５２】
また、前記２値化手段は、さらに、前記映像信号に基準ＤＣレベルを与えるクランプ手段を備え、前記２値化手段は、前記クランプ手段により基準ＤＣレベルを与えられた第一の信号と前記閾値との大小を比較することにより、前記第一の信号を２値化し、前記信号レベル検出手段は、前記クランプ手段により基準ＤＣレベルを与えられた第一の信号の信号レベルの最大値および最小値を検出してもよい。
【００５３】
これにより、本発明におけるデータスライス回路は、基準ＤＣレベルを与えられた第一の信号を２値化する。よって、容易に２値化を行うことができる。また、本発明におけるデータスライス回路は、基準ＤＣレベルを与えられた第一の信号の信号レベルの最大値および最小値の検出を行う。よって、容易に第一の信号の信号レベルの最大値および最小値の検出を行うことができる。
【００５４】
また、前記データスライス回路は、さらに、前記変化検出手段の検出結果を記憶する状態記憶手段を備え、前記制御手段は、前記状態記憶手段が記憶している検出結果において前記最大値または最小値が増加している場合に、前記第一の信号の信号レベルを減少または前記閾値を増加させ、前記状態記憶手段が記憶している検出結果において前記最大値または最小値が減少している場合に、前記第一の信号の信号レベルを増加または前記閾値を減少させる制御を行ってもよい。
【００５５】
これにより、本発明におけるデータスライス回路は、一度使用したチャネルに対しては、再度、第一の信号の信号レベルの最大値および最小値の検出を行う必要がない。よって、一度使用したチャネルに対しては、信号レベル検出手段および変化検出手段を動作させなくともよい。よって、本発明におけるデータスライス回路は、消費電力を低減することができる。
【００５６】
また、前記データスライス回路は、さらに、前記映像信号が含む基準信号の周期と同周期のタイミングの抜き取りパルスを生成する抜き取りパルス生成手段と、前記２値化手段により２値化された第一の信号から前記抜き取りパルスのタイミングでデータを抜き取る抜き取り手段とを備えてもよい。
【００５７】
これにより、本発明におけるデータスライス回路は、２値化した第一の信号のデータ抜き取りを行うことができる。
【００５８】
また、前記第一の信号は、シリアルデータが重畳された文字放送またはデータ放送に使用される映像信号におけるシリアルデータの情報を含む信号であってもよい。
【００５９】
これにより、本発明におけるデータスライス回路は、シリアルデータが重畳された文字放送またはデータ放送に使用される映像信号に対し、映像信号の振幅が小さくなった場合にもシリアルデータを正しく抜き取ることができる。
【発明の効果】
【００６０】
本発明は、シリアルデータが重畳された映像信号の振幅が小さくなった場合にもシリアルデータを正しく抜き取ることができるデータスライス回路を提供することができる。
【発明を実施するための最良の形態】
【００６１】
以下、本発明に係るデータスライス回路の実施の形態について、図面を参照しながら詳細に説明する。
【００６２】
（実施の形態１）
本実施の形態におけるデータスライス回路は、シリアルデータが重畳された映像信号の信号レベルを検出し、信号レベルの増加または減少にともない、基準ＤＣレベルを変更することで、２値化に用いる信号の信号レベルを減少または増加させる。これにより、シリアルデータが重畳された映像信号の振幅が小さくなった場合にもデータを正しく抜き取ることができる。
【００６３】
図１は、実施の形態１におけるデータスライス回路の構成を示すブロック図である。
図１に示すデータスライス回路は、シリアルデータが重畳された映像信号を２値化し、シリアルデータを抜き取る回路である。例えば、シリアルデータが重畳された映像信号は、文字放送またはデータ放送に使用される映像信号である。図１に示すデータスライス回路は、２値化回路１１と、抜き取りパルス生成部１３０と、シリアルデータ抜き取り部１３１と、状態監視部１４０と、制御部１４１とを備える。
【００６４】
２値化回路１１は、シリアルデータが重畳された映像信号Ｓ１００に含まれる第一の信号であるフレーミングコード信号２０４およびデータ信号２０５と、閾値であるスライスレベルとの大小を比較することにより、映像信号Ｓ１００を２値化し、信号Ｓ１２１を出力する。２値化回路１１は、クランプ部１０１と、Ａ／Ｄ変換部１１０と、スライスレベル算出部１２０と、２値化部１２１とを備える。
【００６５】
図１に示すデータスライス回路は、状態監視部１４０および制御部１４１を備える点が、図１７に示す従来のデータスライス回路と異なる。
【００６６】
クランプ部１０１は、シリアルデータが重畳された映像信号Ｓ１００に基準ＤＣレベルを与え、信号Ｓ１０１として出力する。例えば、クランプ部１０１は、図１６に示す映像信号の水平同期信号２０１における信号レベル２０６を基準として、映像信号Ｓ１００に基準ＤＣレベルを与える。
【００６７】
Ａ／Ｄ変換部１１０は、信号Ｓ１０１と複数の参照電圧との大小を比較することにより、信号Ｓ１０１をディジタル信号に変換し、信号Ｓ１１０として出力する。例えば、Ａ／Ｄ変換部１１０は、信号Ｓ１０１を８ビットまたは１６ビットのディジタル信号Ｓ１１０に変換する。
【００６８】
スライスレベル算出部１２０は、信号Ｓ１１０に基づいて、信号Ｓ１１０を２値化するためのスライスレベルを算出し、スライスレベルＳ１２０を出力する。例えば、スライスレベル算出部１２０は、信号Ｓ１１０の基準信号であるクロックランイン信号２０３の振幅の最大値と最小値の１／２をスライスレベルＳ１２０とする。
【００６９】
２値化部１２１は、スライスレベルＳ１２０を閾値とし、信号Ｓ１１０のシリアルデータの情報を含む信号であるフレーミングコード信号２０４およびデータ信号２０５とスライスレベルＳ１２０との大小を比較することにより、信号Ｓ１１０を２値化する。例えば、信号Ｓ１１０がスライスレベルＳ１２０より大きい場合は、データ‘１’とし、信号Ｓ１１０がスライスレベルＳ１２０より小さい場合は、データ‘０’とする。
【００７０】
抜き取りパルス生成部１３０は、信号Ｓ１２１からフレーミングコード信号２０４およびデータ信号２０５からシリアルデータを抜き取るための抜き取りパルスを生成し、抜き取りパルスＳ１３０を出力する。抜き取りパルス発生部１３０は、信号Ｓ１１０の基準信号であるクロックランイン信号２０３の周期を測定する。抜き取りパルス発生部１３０は、クロックランイン信号２０３の周期と同周期のタイミングの抜き取りパルスＳ１３０を生成する。
【００７１】
シリアルデータ抜き取り部１３１は、信号Ｓ１２１から抜き取りパルスＳ１３０のタイミングでシリアルデータを抜き取り、データＳ１３１を出力する。
【００７２】
状態監視部１４０は、信号Ｓ１１０の一定期間における信号レベルの増減を検出し、検出結果Ｓ１４０を出力する。
【００７３】
図２は、信号Ｓ１１０の一例を示す図である。状態監視部１４０は、図２に示す期間Ｔ１１における信号レベルの最大値および最小値の増減を検出する。すなわち、状態監視部１４０は、フレーミングコード信号２０４およびデータ信号２０５の信号レベルの最大値および最小値を検出する。状態監視部１４０は、検出した信号レベルの最大値および最小値の時間に対する増加または減少を検出する。例えば、図２における期間Ｔ１１では信号レベルの最大値は減少している。
【００７４】
制御部１４１は、Ｓ１４０に基づいてクランプ部１０１を制御する信号Ｓ１４１を出力する。
【００７５】
図３は、クランプ部１０１の構成を模式的に示す図である。クランプ部１０１は、電流源３０１ａ〜３０１ｄおよび３０３ａ〜３０３ｄと、スイッチ３０２ａ〜３０２ｄおよび３０４ａ〜３０４ｄとを備える。
【００７６】
複数の電流源３０１ａ〜３０１ｄは、それぞれ電気的に並列に接続され、一方にスイッチ３０２ａ〜３０２ｄを介して、電源３０５と接続される。複数の電流源３０３ａ〜３０３ｄは、それぞれ電気的に並列に接続され、一方にスイッチ３０４ａ〜３０４ｄを介して、ＧＮＤ３０６と接続される。
【００７７】
スイッチ３０２ａ〜３０２ｄおよび３０４ａ〜３０４ｄは、トランジスタスイッチであり、制御部１４１が出力する信号Ｓ１４１によりＯＮ／ＯＦＦが制御される。クランプ部１０１は、スイッチ３０２ａ〜３０２ｄのうちＯＮしているスイッチの個数を増やすことにより、電源３０５側の電流値が増加し、信号Ｓ１００を相対的に高電圧側に引き上げ信号Ｓ１０１として出力する。また、スイッチ３０２ａ〜３０２ｄのうちＯＮしているスイッチの個数を減らすことにより、電源３０５側の電流値が減少し、信号Ｓ１００を相対的に低電圧側に引き下げ信号Ｓ１０１として出力する。スイッチ３０４ａ〜３０４ｄのうちＯＮしているスイッチの個数を増やすことにより、ＧＮＤ３０６側の電流値が増加し、信号Ｓ１００を相対的に低電圧側に引き下げ信号Ｓ１０１として出力する。スイッチ３０４ａ〜３０４ｄのうちＯＮしているスイッチの個数を減らすことにより、ＧＮＤ３０６側の電流値が減少し、信号Ｓ１００を相対的に高電圧側に引き上げ信号Ｓ１０１として出力する。
【００７８】
例えば、クランプ部１０１は、基準状態（初期状態）として、スイッチ３０２ａ、３０２ｂ、３０４ａおよび３０４ｂがＯＮしており、スイッチ３０２ｃ、３０２ｄ、３０４ｃおよび３０４ｄがＯＦＦしているとする。期間Ｔ１１において信号Ｓ１１０のシリアルデータの信号レベルが減少した場合、制御部１４１は、クランプ部１０１のスイッチ３０２ｃまたは３０２ｄをＯＮすることにより、信号Ｓ１０１を高電圧側に引き上げる。なお、スイッチ３０４ａまたは３０４ｂをＯＦＦしても同様に信号Ｓ１０１を高電圧側に引き上げることができる。
【００７９】
図４は、基準ＤＣレベルを増加させた場合の、信号Ｓ１１０のシリアルデータを示す図である。図４に示す信号４０１は、基準ＤＣレベルを変更しなかった場合（従来）のシリアルデータの信号レベルである。信号４０２は、基準ＤＣレベルを増加させた場合のシリアルデータの信号レベルである。図４に示すように、信号４０１では、スライスレベルＳ１２０よりも、信号レベルが減衰しており、２値化を正しく行うことができない。一方、基準ＤＣレベルを増加させた場合の信号４０２では、信号レベルが全体的に高電圧側にシフトしており、スライスレベルＳ１２０で正しく２値化することができる。これにより、結果的にスライスレベルＳ１２０を減少させたのと同等の効果を得ることができる。なお、ペデスタルクランプ方式あるいはシンクチップクランプ方式など、クランプ部１０１の方式は問わない。
【００８０】
以上より、本実施の形態におけるデータスライス回路は、状態監視部１４０が所定の期間における信号Ｓ１１０の最大値および最小値の増減を検出する。制御部１４１は、信号Ｓ１１０の最大値または最小値が減少した場合に、基準ＤＣレベルを増加させることにより、信号Ｓ１１０を増加させる。また、制御部１４１は、信号Ｓ１１０の最大値または最小値が増加した場合に、基準ＤＣレベルを減少させることにより、信号Ｓ１１０を減少させる。すなわち、クランプ部１０１は、信号Ｓ１１０の振幅の中点にスライスレベルＳ１２０がくるように、信号Ｓ１１０の信号レベルを変更する。よって、本実施の形態におけるデータスライス回路は、シリアルデータが重畳された映像信号の振幅が小さくなった場合にもシリアルデータを正しく抜き取ることができる。
【００８１】
以上、本発明の実施の形態に係るデータスライス回路について説明したが、本発明は、この実施の形態に限定されるものではない。
【００８２】
例えば、上記説明では、クロックランイン信号２０３の振幅の平均値振幅の最大値と最小値の差の１／２をスライスレベルＳ１２０としているが、スライスレベルＳ１２０の算出方法はこれにかぎらない。例えば、クロックランイン信号２０３の振幅の平均値をスライスレベルＳ１２０としてもよい。
【００８３】
また、図２では、フレーミングコード信号２０４およびデータ信号２０５を４つの期間Ｔ１１〜１４に分割しているが、分割数はこれにかぎらない。
【００８４】
また、図３では、クランプ部１０１は、高電圧側および低電圧側にそれぞれ４つの電流源を備えているが、電流源の個数はこれに限らない。また、高電圧側および低電圧側のいずれか一方の電流源にのみスイッチを設け、他方の電流源はスイッチを設けなくともよい。また、スイッチは、高電圧側では電流源の電源３０５側に設けられているが、電源３０５と逆側に設けてもよい。また、スイッチは、低電圧側では電流源のＧＮＤ３０６側に設けられているが、ＧＮＤ３０６と逆側に設けてもよい。
【００８５】
また、上記説明では、状態監視部１４０は、信号Ｓ１１０の最大値および最小値を検出するとあるが、これに限らない。例えば、信号Ｓ１１０の振幅の平均値を検出してもよい。また、状態監視部１４０が検出する信号は、Ａ／Ｄ変換前の信号Ｓ１０１であってもよい。
【００８６】
（実施の形態２）
実施の形態２では、実施の形態１におけるデータスライス回路の変形例について説明する。実施の形態１におけるデータスライス回路は、基準ＤＣレベルを変更することで、信号レベルを変更したが、実施の形態２におけるデータスライス回路は、Ａ／Ｄ変換部１１１において、Ａ／Ｄ変換における参照電圧を変更することで、信号Ｓ１１０の信号レベルを変更する。
【００８７】
図５は、実施の形態２におけるデータスライス回路の構成を示すブロック図である。なお、図１と同様の要素には同一の符号が付しており、詳細な説明は省略する。
【００８８】
図５に示すデータスライス回路は、２値化回路１２と、抜き取りパルス生成部１３０と、シリアルデータ抜き取り部１３１と、状態監視部１４０と、制御部１４１とを備える。
【００８９】
２値化回路１１は、クランプ部１００と、Ａ／Ｄ変換部１１１と、スライスレベル算出部１２０と、２値化部１２１とを備える。
【００９０】
図５に示すデータスライス回路では、制御部１４１が状態監視部１４０の検出結果Ｓ１４０に基づいてＡ／Ｄ変換部１４１の参照電圧を制御する点以外は、図１に示す実施の形態１におけるデータスライス回路と同じ構成である。
【００９１】
Ａ／Ｄ変換部１１１は高電圧側の参照電圧と低電圧側の参照電圧の間の入力電圧を所定のビット数に変換して出力する。例えば、前記ビット数が８ビットであれば２５６段階のディジタルデータに変換して出力する。信号Ｓ１１０の信号レベルの最大値が減少した場合、高電圧側の参照電圧を下げることによって、Ａ／Ｄ変換を行う電圧範囲を狭くする。
【００９２】
図６は、Ａ／Ｄ変換における参照電圧の例を示す図である。説明の簡略化のために、２ビットのディジタル信号に変換する場合について説明する。図６に示す信号６０３は、暫減したフレーミングコード信号２０４またはデータ信号２０５である。６０１ａ、６０１ｂおよび６０１ｃは、参照電圧変更前の参照電圧である。図７は、図６に示す参照電圧により信号６０３をＡ／Ｄ変換した信号を示す図である。参照電圧６０１ａ、６０１ｂおよび６０１ｃを用い信号６０３をＡ／Ｄ変換した場合、図７に示す信号７０１が出力される。信号７０１をスライスレベルＳ１２０を用いて２値化した場合、信号７０１の信号レベルの最大値がスライスレベルＳ１２０より小さいので、正しく２値化を行うことができない。図６に示す６０２ａ、６０２ｂおよび６０２ｃは、高電圧側の参照電圧を下げた場合の参照電圧である。参照電圧６０２ａ、６０２ｂおよび６０２ｃを用い信号６０３をＡ／Ｄ変換した場合、図７に示す信号７０２が出力される。信号７０２は、スライスレベルＳ１２０を用い正しく２値化することができる。
【００９３】
以上より、本実施の形態におけるデータスライス回路は、状態監視部１４０が所定の期間における信号Ｓ１１０の最大値および最小値の増減を検出する。制御部１４１は、信号Ｓ１１０の最大値または最小値が減少した場合に、Ａ／Ｄ変換における複数の参照電圧を減少させることにより、信号Ｓ１１０を増加させる。また、制御部１４１は、信号Ｓ１１０の最大値または最小値が増加した場合に、Ａ／Ｄ変換における複数の参照電圧を増加させることにより、信号Ｓ１１０を減少させる。すなわち、Ａ／Ｄ変換部１１１は、信号Ｓ１１０の振幅の中点にスライスレベルＳ１２０がくるように、信号Ｓ１１０の信号レベルを変更する。よって、本実施の形態におけるデータスライス回路は、シリアルデータが重畳された映像信号の振幅が小さくなった場合にもシリアルデータを正しく抜き取ることができる。
【００９４】
（実施の形態３）
実施の形態３では、実施の形態１おけるデータスライス回路の変形例について説明する。
【００９５】
実施の形態１および２におけるデータスライス回路は、２値化される信号Ｓ１１０の信号レベルを変更することで、シリアルデータが重畳された映像信号の振幅が小さくなった場合にも正しい２値化および抜き取りを行うことがでる。実施の形態３におけるデータスライス回路は、複数のスライスレベルから２値化に使用するスライスレベルを選択することで、シリアルデータが重畳された映像信号の振幅が小さくなった場合にもシリアルデータを正しく抜き取ることができる。
【００９６】
図８は、実施の形態３におけるデータスライス回路の構成を示すブロック図である。なお、図１と同様の要素には同一の符号が付しており、詳細な説明は省略する。
【００９７】
図８に示すデータスライス回路は、２値化回路１３と、抜き取りパルス生成部１３０と、シリアルデータ抜き取り部１３１と、状態監視部１４０と、制御部１４１とを備える。
【００９８】
２値化回路１３は、クランプ部１００と、Ａ／Ｄ変換部１１０と、スライスレベル算出部１２２と、スライスレベル選択部１２３と、２値化部１２１とを備える。
【００９９】
スライスレベル算出部１２２は、信号Ｓ１１０を２値化するための複数のスライスレベルＳ１２２を算出する。
【０１００】
スライスレベル選択部１２３は、制御部１４１の制御により、複数のスライスレベルＳ１２２より、２値化部１２１が用いるスライスレベルＳ１２３を選択する。
【０１０１】
２値化部１２１は、信号Ｓ１１０をスライスレベルＳ１２３に基づいて２値化信号Ｓ１２１に変換する。
【０１０２】
図９は、実施の形態３におけるデータスライス回路での、映像信号とスライスレベルを示す図である。スライスレベル算出部１２２は、従来のデータスライス回路と同様にクロックランイン信号２０３の振幅に基づいて基準スライスレベルＳ１２２ａを算出する。例えば、クロックランイン信号２０３の振幅の１／２を基準スライスレベルＳ１２２ａとして算出する。スライスレベル算出部１２２は、基準スライスレベルＳ１２２ａに対し、高レベル側および低レベル側にオフセットを設けた複数のスライスレベルを算出する。例えば、図９に示すように、スライスレベル算出部１２２は、基準スライスレベルＳ１２２ａに対し、高レベル側にオフセットを設けた３つのスライスレベルＳ１２２ｂ〜１２２ｄを算出する。スライスレベル算出部１２２は、基準スライスレベルＳ１２２ａに対し、低レベル側にオフセットを設けた３つのスライスレベルＳ１２２ｅ〜Ｓ１２２ｇを算出する。
【０１０３】
図９に示すシリアルデータが重畳された映像信号が入力された場合、期間Ｔ２１において、基準スライスレベルＳ１２２ａがスライスレベルＳ１２３として用いられる。状態監視部１４０は期間Ｔ２１における信号Ｓ１１０の最大値の減少を検出する。制御部１４１は検出結果Ｓ１４０により、スライスレベル選択部１２３を制御する。スライスレベル選択部１２３は、制御部１４１の制御により、低電圧側にオフセットをとった一段階下のスライスレベルＳ１２２ｅを選択する。すなわち、期間Ｔ２２では、２値化に用いられるスライスレベルＳ１２３としてスライスレベルＳ１２２ｅが選択される。期間Ｔ２２では、データ信号２０５の信号レベルの最大値および最小値に変化はないので、期間Ｔ２３では期間Ｔ２２と同じスライスレベルＳ１２２ｅが２値化に用いられる。期間Ｔ２３では、データ信号２０５の信号レベルの最大値が減少しているので、期間Ｔ２４ではスライスレベルＳ１２２ｆが用いられる。なお、図示していないが、フレーミングコード信号２０４またはデータ信号２０５の信号レベルの最小値が減少した場合も、使用されているスライスレベルの一段階下のスライスレベルが選択される。また、フレーミングコード信号２０４またはデータ信号２０５の信号レベルの最大値および最小値が増加した場合には、使用されているスライスレベルの一段階上のスライスレベルが選択される。
【０１０４】
図９に示す９０１は、各スライスレベル１２２ａ〜１２２ｇを用いた場合の、フレーミングコード信号２０４の抜き取りデータＳ１３１を示す。図９に示す９０２は、各スライスレベル１２２ａ〜１２２ｇを用いた場合の、データ信号２０５の抜き取りデータＳ１３１を示す。基準スライスレベルＳ１２２ａを用いた場合、期間Ｔ２１および期間Ｔ２２においては、フレーミングコード信号２０４およびデータ信号２０５を正しく２値化し、抜き取ることができる。しかしながら、基準スライスレベルＳ１２２ａでは、データ信号２０５の信号レベルの最大値がさらに減少した期間Ｔ２３および期間Ｔ２４に、データ信号２０５を正しく２値化することができない。一方、本実施の形態におけるデータスライス回路は、期間Ｔ２３において、スライスレベルＳ１２２ｅを用い２値化を行うので、正しく２値化およびデータ抜き取りを行うことができる。また、期間Ｔ２４において、スライスレベルＳ１２２ｆを用い２値化を行うので、正しく２値化およびデータ抜き取りを行うことができる。
【０１０５】
以上より、本実施の形態におけるデータスライス回路は、制御部１４１による制御により、スライスレベル選択部１２３が、信号Ｓ１１０の最大値または最小値が増加している場合に、複数のスライスレベルＳ１２２のうち、２値化部１２１に用いられていたスライスレベルよりも大きな値をもつスライスレベルを選択することで、２値化部１２１が用いるスライスレベルを増加させる。また、信号Ｓ１１０の最大値または最小値が減少している場合に、２値化部１２１に用いられていたスライスレベルよりも小さな値をもつスライスレベルを選択することで、２値化部１２１が用いるスライスレベルを減少させる。すなわち、信号Ｓ１１０の信号レベルの最大値または最小値の増減にともない、信号Ｓ１１０の振幅の中点にスライスレベルが近づくように、複数のスライスレベルより２値化に使用されるスライスレベルＳ１２３が選択される。これにより、本実施の形態におけるデータスライス回路は、シリアルデータが重畳された映像信号の振幅が小さくなった場合にもシリアルデータを正しく抜き取ることができる。
【０１０６】
なお、上記説明では、スライスレベル選択部１２３により選択されるスライスレベルＳ１２３は、前期間で選択されていたスライスレベルより、１段階上または下のスライスレベルとあるが、これに限らない。フレーミングコード信号２０４またはデータ信号２０５の最大値または最小値の増減量に応じて、２段階以上上または下のスライスレベルを選択してもよい。
【０１０７】
（実施の形態４）
実施の形態４では、実施の形態１におけるデータスライス回路の変形例について説明する。実施の形態１、２および３におけるデータスライス回路は、クランプした（基準ＤＣレベルを与えた）信号Ｓ１０１をディジタル信号に変換した後、２値化を行っていたが、実施の形態４におけるデータスライス回路は、信号Ｓ１０１をディジタル信号に変換せずに、アナログ信号と比較電圧との大小を比較し、２値化を行う。また、実施の形態４におけるデータスライス回路は、シリアルデータが重畳された映像信号の信号レベルの増減にともない、比較電圧を変更することで、シリアルデータが重畳された映像信号の振幅が小さくなった場合にも、シリアルデータを正しく抜き取ることができる。
【０１０８】
図１０は、実施の形態４におけるデータスライス回路の構成を示すブロック図である。
図１０に示すデータスライス回路では、制御部１４１が状態監視部１４０の検出結果Ｓ１４０に基づいて比較部１５０の比較電圧を制御する。なお、図１と同様の要素には同一の符号が付しており、詳細な説明は省略する。
【０１０９】
図１０に示すデータスライス回路は、２値化回路１４と、抜き取りパルス生成部１３０と、シリアルデータ抜き取り部１３１と、状態監視部１４０と、制御部１４１とを備える。
【０１１０】
２値化回路１４は、クランプ部１００と、比較部１５０とを備える。
図１０に示すデータスライス回路は、図１に示す実施の形態１の構成と比べ、Ａ／Ｄ変換部１１０、スライスレベル算出部１２０および２値化部１２１の代わりに比較部１５０を備える。
【０１１１】
状態監視部１４０は、クランプ部１００により基準ＤＣレベルを与えられた信号Ｓ１０１の信号レベルの最大値および最小値を検出する。状態監視部１４０は、信号Ｓ１１０の最大値および最小値の時間に対する増加または減少を検出し、検出結果Ｓ１４０を出力する。
【０１１２】
制御部１４１は、状態監視部１４０の検出結果Ｓ１４０に基づいて比較部１５０の比較電圧を制御する。
【０１１３】
比較部１５０は、比較電圧を閾値として、信号Ｓ１０１と比較電圧との大小を比較することにより、信号Ｓ１０１を２値化する。例えば、信号Ｓ１０１の信号レベルが比較電圧より高ければ論理１を、入力電圧が比較電圧より低ければ論理０とする。比較部１５０は、制御部１４１の制御により、信号Ｓ１０１の信号レベルの最大値または最小値が減少している場合に、比較電圧を減少させる。また、比較部１５０は、制御部１４１の制御により、信号Ｓ１０１の信号レベルの最大値または最小値が増加している場合に、比較電圧を増加させる。すなわち、信号Ｓ１０１の信号レベルの最大値または最小値の増減にともない、信号Ｓ１０１の振幅の中点に比較電圧が近づくように、比較電圧が変更される。よって、本実施の形態におけるデータスライス回路は、シリアルデータが重畳された映像信号の振幅が小さくなった場合にもシリアルデータを正しく抜き取ることができる。
【０１１４】
（実施の形態５）
実施の形態５では、実施の形態１におけるデータスライス回路の変形例について説明する。
【０１１５】
図１１は、実施の形態５におけるデータスライス回路の構成を示すブロック図である。
図１１に示すデータスライス回路は、図１に示す実施の形態１のデータスライス回路に加え、状態記憶部１６０を備える。なお、図１と同様の要素には同一の符号が付しており、詳細な説明は省略する。
【０１１６】
状態記憶部１６０は状態監視部１４０の検出結果Ｓ１４０をチャネルごとに記憶する。制御部１４１は、状態記憶部１６０の出力Ｓ１６０によって制御される。
【０１１７】
状態記憶部１６０にシリアルデータが重畳された映像信号の信号レベルの変化の情報が記憶されていない場合（例えば、テレビ受像機を設置して、初めて使用する場合等。）には、状態記憶部１６０は、状態監視部１４０による信号Ｓ１１０の検出結果Ｓ１４０を記憶する。また、状態記憶部１６０は、検出結果Ｓ１４０をスルーして信号Ｓ１６１として出力する。制御部１４１は、信号Ｓ１６１により、クランプ部１０１における基準ＤＣレベルを制御する信号Ｓ１４１を出力する。クランプ部１０１の制御については、実施の形態１と同様であるので説明は省略する。すなわち、本実施の形態におけるデータスライス回路は、状態記憶部１６０にシリアルデータの信号レベルの変化の情報が記憶されていない場合、実施の形態１におけるデータスライス回路と同様の動作を行いながら、状態記憶部１６０に状態監視部１４０の検出結果Ｓ１４０を記憶する。
【０１１８】
状態記憶部１６０にシリアルデータの信号レベルの変化の情報が記憶されている場合には、状態監視部１４０は動作しない。状態記憶部１６０は、対応する信号レベルの変化の情報を信号Ｓ１６１に出力する。制御部１４１は信号Ｓ１６１により、クランプ部１０１を制御する信号Ｓ１４１を出力する。クランプ部１０１は、信号Ｓ１４１により、実施の形態１と同様の動作を行う。すなわち、制御部１４１は、状態記憶部１６０が記憶している検出結果において信号Ｓ１１０の最大値または最小値が増加している場合に、基準ＤＣレベルを減少させることで信号Ｓ１１０を減少させる制御を行う。また、状態記憶部１６０が記憶している検出結果Ｓ１４０において信号Ｓ１１０の最大値または最小値が減少している場合に、基準ＤＣレベルを増加させることで信号Ｓ１１０を増加させる制御を行う。
【０１１９】
データスライス回路を備えたテレビ受像機あるいは録画装置などが設置される場所の受信環境は千差万別であるが、一旦設置された後は設置された場所における受信状態はチャネルごとに一定の傾向を維持する。したがって、状態記憶部１６０にチャネルごとの受信状態を一度記憶すれば、以降は状態記憶部１６０に記憶された受信状態に応じて制御部１４１がクランプ１０１を制御することで、状態監視部１４０を常時動作させる必要がなくなる。よって、データスライス回路の消費電力を削減することができる。
【０１２０】
（実施の形態６）
実施の形態６では、実施の形態２おけるデータスライス回路の変形例について説明する。
【０１２１】
図１２は、実施の形態６におけるデータスライス回路の構成を示すブロック図である。
図１２に示すデータスライス回路は、図５に示す実施の形態２のデータスライス回路に加え、実施の形態５と同様に状態記憶部１６０を備える。なお、図５と同様の要素には同一の符号が付しており、詳細な説明は省略する。
【０１２２】
状態記憶部１６０は状態監視部１４０の検出結果Ｓ１４０をチャネルごとに記憶する。制御部１４１は状態記憶部１６０の出力Ｓ１６０によってＡ／Ｄ変換部１１１で用いられる参照電圧を制御する。また、期待される効果は、実施の形態５におけるデータスライス回路と同じであり、説明は省略する。
【０１２３】
（実施の形態７）
実施の形態７では、実施の形態３おけるデータスライス回路の変形例について説明する。
【０１２４】
図１３は、実施の形態７におけるデータスライス回路の構成を示すブロック図である。
図１３に示すデータスライス回路は、図８に示す実施の形態３のデータスライス回路に加え、実施の形態５と同様に状態記憶部１６０を備える。なお、図８と同様の要素には同一の符号が付しており、詳細な説明は省略する。
【０１２５】
状態記憶部１６０は状態監視部１４０の検出結果Ｓ１４０をチャネルごとに記憶する。制御部１４１は状態記憶部１６０の出力Ｓ１６０によってスライスレベル選択部１２３の選択するスライスレベルを制御する。また、期待される効果は、実施の形態５におけるデータスライス回路と同じであり、説明は省略する。
【０１２６】
（実施の形態８）
実施の形態８では、実施の形態４おけるデータスライス回路の変形例について説明する。
【０１２７】
図１４は、実施の形態８におけるデータスライス回路の構成を示すブロック図である。
図１４に示すデータスライス回路は、図１０に示す実施の形態４のデータスライス回路に加え、実施の形態５と同様に状態記憶部１６０を備える。なお、図１０と同様の要素には同一の符号が付しており、詳細な説明は省略する。
【０１２８】
状態記憶部１６０は状態監視部１４０の検出結果Ｓ１４０をチャネルごとに記憶する。制御部１４１は状態記憶部１６０の出力Ｓ１６０によって比較部１５０の比較電圧を制御する。また、期待される効果は、実施の形態５におけるデータスライス回路と同じであり、説明は省略する。
【産業上の利用可能性】
【０１２９】
本発明は、データスライス回路に適用でき、特に、テレビ受像機または録画装置等において、文字放送またはデータ放送等のシリアルデータが重畳された映像信号のシリアルデータを抜き取るデータスライス回路として適用できる。
【図面の簡単な説明】
【０１３０】
【図１】実施の形態１におけるデータスライス回路のブロック図である。
【図２】シリアルデータが重畳された映像信号の一例を示す図である。
【図３】実施の形態１におけるクランプ部の構成を模式的に示す図である。
【図４】基準ＤＣレベルを変更した場合の信号の一例を示す図である。
【図５】実施の形態２におけるデータスライス回路のブロック図である。
【図６】Ａ／Ｄ変換における参照電圧の一例を示す図である。
【図７】Ａ／Ｄ変換後のディジタル信号の一例を示す図である。
【図８】実施の形態３におけるデータスライス回路のブロック図である。
【図９】実施の形態３におけるスライスレベルの選択方法を示す図である。
【図１０】実施の形態４におけるデータスライス回路のブロック図である。
【図１１】実施の形態５におけるデータスライス回路のブロック図である。
【図１２】実施の形態６におけるデータスライス回路のブロック図である。
【図１３】実施の形態７におけるデータスライス回路のブロック図である。
【図１４】実施の形態８におけるデータスライス回路のブロック図である。
【図１５】垂直帰線消去期間における映像信号を示す図である。
【図１６】水平走査線における映像信号を示す図である。
【図１７】従来のデータスライス回路のブロック図である。
【図１８】従来のデータスライス回路のデータ抜き取り方法を示す図である。
【図１９】複数のスライスレベルを用いた従来のデータスライス回路のデータ抜き取り方法を示す図である。
【符号の説明】
【０１３１】
１０、１１、１２、１３、１４    ２値化回路
１００、１０１    クランプ部
１１０、１１１    Ａ／Ｄ変換部
１２０、１２２    スライスレベル算出部
１２１    ２値化部
１２３    スライスレベル選択部
１３０    抜き取りパルス生成部
１３１    シリアルデータ抜き取り部
１４０    状態監視部
１４１    制御部
１５０    比較部
１６０    状態記憶部
２０１    水平同期信号
２０２    カラーバースト信号
２０３    クロックランイン信号
２０４    フレーミングコード信号
２０５    データ信号
３０１ａ、３０１ｂ、３０１ｃ、３０１ｄ、３０３ａ、３０３ｂ、３０３ｃ、３０３ｄ    電流源
３０２ａ、３０２ｂ、３０２ｃ、３０２ｄ、３０４ａ、３０４ｂ、３０４ｃ、３０４ｄ    スイッチ
３０５    電源
３０６    ＧＮＤ
４０１、４０２、６０３、７０１、７０２    信号
６０１ａ、６０１ｂ、６０１ｃ、６０２ａ、６０２ｂ、６０２ｃ    参照電圧
９０１    フレーミングコード
９０２    データ
１９０１    上側スライスレベル
１９０２    下側スライスレベル
１９０３、１９０４、１９０５    信号波形
Ｓ１００、Ｓ１０１、Ｓ１１０、Ｓ１２１、Ｓ１３１、Ｓ１４０、Ｓ１４１、Ｓ１６１    信号
Ｓ１２０、Ｓ１２２、Ｓ１２２ｂ、Ｓ１２２ｃ、Ｓ１２２ｄ、Ｓ１２２ｅ、Ｓ１２２ｆ、Ｓ１２２ｇ    スライスレベル
Ｓ１２２ａ    基準スライスレベル
Ｓ１３０    抜き取りパルス
Ｔ１    垂直帰線消去期間
Ｔ２    垂直同期信号期間
Ｔ３    データ放送に使用される期間
Ｔ４    文字放送に使用される期間
Ｔ５    周期
Ｔ１１〜Ｔ１４、Ｔ２１〜Ｔ２４    期間
【図１】
2007134912.tif 000003
【図２】
2007134912.tif 000004
【図３】
2007134912.tif 000005
【図４】
2007134912.tif 000006
【図５】
2007134912.tif 000007
【図６】
2007134912.tif 000008
【図７】
2007134912.tif 000009
【図８】
2007134912.tif 000010
【図９】
2007134912.tif 000011
【図１０】
2007134912.tif 000012
【図１１】
2007134912.tif 000013
【図１２】
2007134912.tif 000014
【図１３】
2007134912.tif 000015
【図１４】
2007134912.tif 000016
【図１５】
2007134912.tif 000017
【図１６】
2007134912.tif 000018
【図１７】
2007134912.tif 000019
【図１８】
2007134912.tif 000020
【図１９】
2007134912.tif 000021